(57)【要約】【課題】安価なＦＭ／ＡＭラジオを使用して、好きなタイミングで聞き始めてもガイド放送を最初から聴くことができるコンテンツ放送システムを提供する。【解決手段】ガイド音声を時間方向に均等にｎ個に分割し、分割した末尾にマーカ音を付加して、それぞれ繰り返し再生し、別々の周波数に載せて複数のチャンネルに分けて送信する。受信機は、ガイド音声の先頭のチャンネルから順番に受信し、末尾に付加されたマーカ音によってチャンネルを切り換える。【選択図】図３
2009278221.tif 000002
【特許請求の範囲】
【請求項１】
連続した内容の複数の区間コンテンツを記憶する記憶手段と、
前記複数の区間コンテンツを、読出スタートタイミングを同期させて、並行して繰り返し読み出す読出手段と、
読み出された複数の区間コンテンツでそれぞれ異なるチャンネルで変調して、複数チャンネルの放送波を生成する変調手段と、
を備えたコンテンツ放送装置。
【請求項２】
連続した内容の複数の区間コンテンツを記憶する記憶手段と、
前記複数の区間コンテンツを、並行して繰り返し読み出す読出手段と、
読み出された複数の区間コンテンツでそれぞれ異なるチャンネルで変調して、複数チャンネルの変調波を生成する変調手段と、
を備えたコンテンツ放送装置。
【請求項３】
前記読出手段によって読み出された前記各区間コンテンツは、その後端部にマーカ信号が付加されている請求項１または請求項２に記載のコンテンツ放送装置。
【請求項４】
所定のチャンネルの変調波を受信してコンテンツを復調する受信手段と、
前記受信手段の受信チャンネルを選択する選局手段と、
前記受信手段が復調したコンテンツからマーカ信号が検出されたとき、前記選択手段に受信チャンネルの切り換えを指示する切換制御手段と、
を備えた受信装置。
【請求項５】
請求項１乃至請求項３のいずれかに記載のコンテンツ放送装置と、請求項４に記載の受信装置からなるコンテンツ放送システム。  
【発明の詳細な説明】
【技術分野】
【０００１】
この発明は、美術品の解説や観光ガイド等に使用されるラジオ放送を用いたコンテンツ放送システム等に関する。
【背景技術】
【０００２】
従来より、観光地や美術館、博物館等において、観光スポットや展示品の近傍にそれらを解説するガイド音声を放送する微小電力の小型送信機を設置し、見学者にガイド用のラジオを貸し出してこの放送を聴かせる案内システムが実用化されている（たとえば非特許文献１）。このようなシステムでは、ＦＭ／ＡＭラジオが見学者各人に貸し出され、各見学者はスタートボタンを押すだけで、常に繰り返し再生されているガイド音声を聞くことができる。
【０００３】
また、ＦＭ／ＡＭラジオ波によるガイド音声放送として、「てくてくラジオ」がある（非特許文献１）。「てくてくラジオ」とは、微小電力のＦＭ／ＡＭ放送波で、施設情報、観光情報などを放送するラジオシステムである。送信機に一定の長さのガイド音声を記録しておき、再生状態にセットすると、記録したガイド音声をエンドレスで繰り返し放送し続ける。これにより、各種の施設、観光地等で、そこに訪れる人が簡易な処理で手軽に音声情報を入手できる。
【０００４】
このようなガイド音声放送システムでは、小型送信機が１分程度の解説音声を繰り返して放送しており、システムの利用者である見学者はラジオをオンすることにより、この解説音声をいつでも聴くことができる。
【０００５】
【非特許文献１】「てくてくラジオ」、[平成２０年４月１８日検索]、インターネット<http://tekuteku-radio.com/>
【発明の開示】
【発明が解決しようとする課題】
【０００６】
しかしながら、上記従来のシステムでは、ガイド音声は最初から最後まで連続して繰り返し放送されているだけであるため、利用者の聴き始めのタイミングが悪い場合、ガイド音声の途中から聴き始めることになり、ガイド音声を最初から聴くためには、途中から聴き始めたガイド音声が終了して再び先頭に戻るのを待たなくてはならない。例えば、１分のガイド音声の場合、開始直後の途中から聞き始めると、ガイド音声が先頭に戻るまでに１分近く待たなければならないことになる。このように、ガイド音声が一方的に放送されるガイド音声放送システムでは、利用者が聴き始めたタイミングにガイド音声が先頭からスタートするとは限らないため、場合によっては長い待ち時間が必要になるという問題点があった。
【０００７】
一方、ガイド音声を記憶したデジタルオーディオプレイヤーを用い、展示物や観光スポットでボタンを操作することにより、その展示物や観光スポットに対応したガイド音声を再生するガイド装置も実用化されている。しかし、デジタルオーディオプレイヤー型のガイド装置は、ラジオ受信機に比べて価格が高く、多人数の団体に一度に配布してガイドするというガイド形態には適さなかった。
【０００８】
この発明は、安価なラジオ受信機を使用して、ほぼ自由なタイミングにガイド放送を最初から聴くことができるコンテンツ放送システム等を提供することを目的とする。
【課題を解決するための手段】
【０００９】
請求項１の発明であるコンテンツ放送装置は、連続した内容の複数の区間コンテンツを記憶する記憶手段と、前記複数の区間コンテンツを、読出スタートタイミングを同期させて、並行して繰り返し読み出す読出手段と、読み出された複数の区間コンテンツでそれぞれ異なるチャンネルで変調して、複数チャンネルの放送波を生成する変調手段と、を備えたことを特徴とする。
【００１０】
請求項２の発明であるコンテンツ放送装置は、連続した内容の複数の区間コンテンツを記憶する記憶手段と、前記複数の区間コンテンツを、並行して繰り返し読み出す読出手段と、読み出された複数の区間コンテンツでそれぞれ異なるチャンネルで変調して、複数チャンネルの変調波を生成する変調手段と、を備えたことを特徴とする。
【００１１】
請求項３の発明は、請求項１、２の発明において、前記読出手段によって読み出された前記各区間コンテンツは、その後端部にマーカ信号が付加されていることを特徴とする。
【００１２】
ここで、連続した内容の複数の区間コンテンツとは、たとえば、１分程度のガイド音声を１０秒ずつの区間に分割した各区間コンテンツ等を言う。したがって、連続して再生することにより一繋がりのコンテンツとなる。なお、コンテンツは音声信号に限定されるものではない。また、変調方式がＦＭ方式またはＡＭ方式の場合、チャンネルとはキャリア周波数を指す。またＳＳＭ（スペクトラム拡散変調）方式の場合には変調コードを指す。複数の区間コンテンツを並行して繰り返し読み出し、それぞれ異なるチャンネルで変調することにより、図３（Ａ）、図４または図５に示すような送信パターンで複数チャンネルで区間コンテンツが送信される。請求項１のように区間コンテンツの読出タイミングを同期させて読み出すことにより、図３（Ａ）または図４のような送信パターンになる。請求項２のように（不等長の区間コンテンツを）同期させずに読み出すことにより、図５のような送信パターンになる。また、各区間コンテンツの後端にマーカ信号を付すことにより、受信装置におけるチャンネル自動切換が可能になる。
【００１３】
請求項４の発明である受信装置は、所定のチャンネルの変調波を受信してコンテンツを復調する受信手段と、前記受信手段の受信チャンネルを選択する選局手段と、前記受信手段が復調したコンテンツからマーカ信号が検出されたとき、前記選択手段に受信チャンネルの切り換えを指示する切換制御手段と、を備えたことを特徴とする。
【００１４】
請求項５の発明は、請求項１〜３のコンテンツ放送装置と、請求項４の受信装置からなるコンテンツ放送システムである。
【発明の効果】
【００１５】
この発明によれば、連続した内容の複数の区間コンテンツを繰り返し読み出し、それぞれ異なるチャンネルの変調信号として並行して送信することにより、各区間コンテンツの先頭が短い間隔で繰り返し送信されるため、利用者がどのタイミングから聴き始めても、殆ど待ち時間なくコンテンツを先頭から聴くことができる。
【発明を実施するための最良の形態】
【００１６】
図面を参照してこの発明の実施形態であるガイド音声放送システムについて説明する。
図１は、美術館等の展示会場にガイドシステムを適用した例を示す図である。同図（Ａ）は展示会場の平面図、同図（Ｂ）はその一部の側面図である。
【００１７】
図１（Ａ）の展示会場には複数の展示物３が設置され、各展示物３の周囲にはそれを見る見学者１がおり、各見学者１はラジオ受信機２を所持している。また、各展示物３の近傍には、その展示物３のガイド音声を送信する送信機４が設けられている。送信機４は微小電力の小型送信機であり、展示物３の周辺エリアである放送エリア５内に電波が到達する。複数の展示物３が存在する場合、各展示物３ごとに送信機４が設置されており、各送信機４は、その展示物３を中心とする各放送エリア５ごとにその展示物３を説明するガイド音声を放送している。ラジオ受信機２は各展示物３の放送エリア５内で送信機４から放送電波を受信し、見学者１に対してその放送電波に重畳されているガイド音声を再生する。
【００１８】
図１（Ｂ）に示すように、ラジオ受信機２は見学者１が手に持つか、または、ストラップを用いて首からさげる等して携帯する。ラジオ受信機２にはイヤホン６が付属しており、見学者１はこのイヤホン６を耳に挿入してガイド音声を聴く。
【００１９】
送信機４は、１分程度のガイド音声を５〜１０秒程度の複数の区間音声（区間１、区間２、・・・、区間ｎ）に分割し、各区間音声をそれぞれ別々のチャンネルで放送している。ここで、放送方式がＡＭ方式またはＦＭ方式の場合、各チャンネルはそれぞれキャリア周波数が異なる周波数チャンネルである。
【００２０】
区間１を放送するチャンネル（チャンネル１）は、ガイド音声の先頭の区間である区間１の音声を繰り返し放送しており、見学者１が自身のラジオ受信機２でこのチャンネル１を受信することにより、ガイド音声の先頭区間（区間１）を聴くことができる。また、このチャンネルでは５〜１０秒の区間音声が繰り返し放送されているため、見学者１は最長でも５〜１０秒待つのみでガイド音声を先頭から聴き始めることができる。
【００２１】
また、第１の実施形態では、各区間音声（区間１、区間２、・・・、区間ｎ）は全て同じ時間長に分割され、各放送チャンネルにおける区間音声の繰り返しタイミングが同期されている。したがって、見学者１が所持するラジオ受信機４は、チャンネル１で区間１のガイド音声を受信し終えたタイミングで受信チャンネルをチャンネル２に切り換えることにより、区間２の音声を先頭から受信することができる。以下のチャンネルも同様に、チャンネルｉで区間ｉのガイド音声を受信し終えたタイミングで受信チャンネルをチャンネルｉ＋１に切り換えることにより、区間ｉ＋１の音声を先頭から受信することができる。
【００２２】
図２（Ａ）は前記送信機４のブロック図である。送信機４は、展示物３の解説音声であるガイドコンテンツを記憶したガイドコンテンツメモリ１０、ガイドコンテンツメモリ１０内のガイド音声を再生する再生部１３、再生部１３の同期を制御する同期制御部１４、再生部１３で再生したガイド音声でキャリア信号を変調する送信回路１５、送信回路１５から出力された高周波信号を合成する合成回路１６、合成回路１６で合成された高周波信号を電磁波として空間に送出するアンテナ１７を備えている。
【００２３】
ガイドコンテンツメモリ１０には、展示物３を解説するガイド音声１１が記憶されており、ガイド音声１１は、区間１音声１１−１から区間ｎ音声１１−ｎまでのｎの、等しい長さの区間音声に分割されている。ガイド音声の長さが１分であるとすると、１区間を５秒に設定すればｎ＝１２、１区間を６秒に設定すればｎ＝１０、１区間を１０秒に設定すればｎ＝６となる。ガイド音声１１は必ずしも複数の区間音声に分割された状態で記憶されている必要はなく、一繋がりのガイド音声１１として記憶し、そのガイド音声データ１１の各区間分割点のアドレスを別に記憶し、そのアドレスから読み出すことで各区間音声を読み出すようにしてもよい。
【００２４】
各区間音声の後端には区間音声の終了を示すマーカ音１２が付加されている。または再生時にマーカ音１２が付加される。この実施形態では、区間音声の終了後に５０００〜１００００Ｈｚ程度の高音信号を付加し、この高音信号をマーカ音１２としている。ただし、マーカ音はこれに限定されない。たとえば、区間音声の末尾部分に音声透かしを重畳しておき、この音声透かしをマーカとして用いてもよい。区間１〜区間ｎ−１の区間音声にはラジオ受信機４にチャンネル切換を促すための通常のマーカ１２ａが付加されている。最後の区間音声である区間音声ｎにはラジオ受信機４に受信の終了を促す終了マーカ１２ｂが付されている。たとえば、通常マーカ１２ａとしては８０００Ｈｚの正弦波信号を用い、終了マーカとしては９０００Ｈｚの正弦波信号を用いればよい。
【００２５】
再生部１３は、読出回路およびＤ／Ａコンバータを有し、ガイドコンテンツメモリ１０からガイド音声１１を読み出してオーディオ信号に変換する。再生部１３はｎチャンネルの再生部１３−１〜１３−ｎからなり、それぞれ区間１〜ｎの音声を繰り返し読み出す。ｎチャンネルの再生部はそれぞれ独立した読出回路、Ｄ／Ａコンバータを備えてもよいが、１つの読出回路、Ｄ／Ａコンバータを時分割動作させてｎチャンネルを実現してもよい。
【００２６】
同期制御部１４はｎチャンネルの再生部１３−１〜１３−ｎの区間音声の読出タイミングをそろえ、マーカ音のタイミングを合わせるための同期トリガおよびクロック信号を各再生部１３−１〜１３−ｎ出力する。これにより、再生部１３−１〜１３−ｎは、それぞれ担当する区間音声を図３（Ａ）に示すようなタイミングで読み出す。
【００２７】
送信回路１５−１〜１５−ｎは、それぞれが変調回路、電力増幅回路を備え、再生部１３−１〜１３−ｎから入力された区間音声（オーディオ信号）でキャリア信号を変調して変調信号を生成し、この変調信号をアンテナ１７から輻射可能な電力まで増幅する。この電力増幅された変調信号送信回路１５−１〜１５−ｎはアナログ回路であるため、ｎチャンネル分独立して設ける必要がある。なお、送信回路１５−１〜１５−ｎが用いるキャリア信号は、ＦＭ放送の場合、例えば、チャンネル１＝７６．０ＭＨｚ、チャンネル２＝７６．６ＭＨｚ、チャンネル３＝７７．２ＭＨｚ、・・・等に設定される。また、ＡＭ放送の場合、例えば、チャンネル１＝１６２０ｋＨｚ、チャンネル２＝１６２９ｋＨｚｚ、チャンネル３＝１６３８ｋＨｚ、・・・等に設定される。
【００２８】
合成回路１６は、送信回路１５−１〜１５−ｎから出力された変調信号を合成してアンテナ１７に供給する。アンテナ１７は、合成回路１６から入力された合成変調信号を電磁波として空中に輻射する。輻射された電磁波（放送波）は、図１の放送エリア５の範囲で受信可能である。
【００２９】
図２（Ｂ）は前記ラジオ受信機２のブロック図である。上述したように、このラジオ受信機２は、見学者１が、たとえば手で持って歩いたり、ストラップで首からさげたりして携帯するものであり、電池で駆動するハンディな装置に構成されている。
【００３０】
ラジオ受信機２は、送信機４によって送信された放送信号を受信してガイド音声を再生する装置であり、放送信号（電磁波）を受信するアンテナ２０、アンテナ２０が受信した信号から所定のチャンネルの放送信号を選択し、その選択した放送信号からガイド音声、マーカ音を含むオーディオ信号を復調する受信回路２１、受信回路２１が復調したオーディオ信号のうち低音成分（ガイド音声１１）のみ通過させるローパスフィルタ（ＬＰＦ）２３、受信機２１が復調したオーディオ信号のうち高音成分（マーカ音１２）のみ通過させるハイパスフィルタ（ＨＰＦ）２４、ＨＰＦ２４を通過した信号からマーカ音１２を検出するマーカ検出部２５、コントローラ２６、見学者１による入力操作を受け付ける操作部２７、ＬＰＦ２３を通過した音声信号（ガイド音声１１）を増幅するオーディオアンプ２８を備えている。オーディオアンプ２８には、図１（Ｂ）に示したようにイヤホン（スピーカ）６が接続される。なお、ＬＰＦ２３、ＨＰＦ２４のカットオフ周波数は、ともに４０００〜６０００Ｈｚ程度に設定される。
【００３１】
受信回路２１は、アンテナ２０が受信した信号の周波数を制限して受信チャンネルを選択する選局回路２２を内蔵している。コントローラ２６は、選局回路２２に対してチャンネル選択信号を出力する。選局回路２２は、このチャンネル選択信号に基づいて放送信号を選択する。
【００３２】
また、コントローラ２６は、オーディオアンプ２８のゲインを制御する。このゲイン制御は、操作部２７の操作によるもののほか、区間音声を途中から受信し始めたとき、この区間音声の先頭に戻るまでオーディオアンプ２８のゲインを０にする処理（ミュート）を含む。
【００３３】
マーカ検出部２５は、ＨＰＦ２４を通過した信号からマーカ信号を検出すると、マーカ検出信号を発生してコントローラ２６に入力する。また、操作部２７は、スタートボタン、早送りボタン、巻き戻しボタン、終了ボタン等を備えており、見学者１によっていずれかのボタンが操作されると、そのボタンの操作信号をコントローラ２６に入力する。コントローラ２６は、マーカ検出部２５から入力されたマーカ検出信号、操作部２７から入力されたボタン操作信号に基づき、選局回路２２に対してチャンネル選択信号を出力する。
【００３４】
具体的には、コントローラ２６は、以下のように選局回路２２が選択するチャンネルを切り換える；
（１）スタートボタンの操作信号が入力されたとき、選局回路２２の受信チャンネルをチャンネル１に設定する。
（２）マーカ検出信号が入力される毎に、選局回路２２の受信チャンネルを次のチャンネルに順次切り換える。すなわち、チャンネル番号に１を加算し、チャンネル１→チャンネル２→チャンネル３→・・・→チャンネルｎの順に切り換える。なお、区間音声ｎ（チャンネルｎ）のマーカ音は他の区間音声のマーカ音とは異なり、ガイド音声の終了を示す終了マーカ音声になっている。マーカ検出部２５からこの終了マーカ検出信号が入力された場合は、このラジオ受信機２の動作を終了させる。
これにより、ラジオ受信機２は、マーカ音を切換トリガとして区間音声を１〜ｎの順に自動受信することができる。
【００３５】
（３）早送りボタンの操作信号が入力されたとき、選局回路２２の受信チャンネルを次のチャンネルに切り換える。すなわち、受信チャンネルのチャンネル番号に１を加算する。
（４）巻き戻しボタンの操作信号が入力されたとき、選局回路２２の受信チャンネルを前のチャンネルに切り換える。すなわち、受信チャンネルのチャンネル番号から１を減算する。
これにより、擬似的な早送り再生や巻き戻し再生が可能になる。
【００３６】
なお、コントローラ２６はマイコンで構成してもよく、ハードロジック回路で構成してもよい。
【００３７】
なお、受信回路２１、オーディオアンプ２８等はアナログ回路であり、即座に起動し、且つ、消費電力が大きいため、コントローラ２６は、操作部２７のスタートボタンが操作されたとき、これらアナログ回路部の電源をオンし、ガイド音声が終了したときまたは操作部２７の終了ボタンが操作されたときアナログ回路部の電源をオフすることにより、電池の消耗を防止するようにしている。
【００３８】
図３（Ａ）は、送信機４の各チャンネルにおける各区間音声の放送タイミングを説明する図である。各区間音声は、上述したように、ガイド音声１１が、文章の意味の切れ目（文節）に関係なく、時間方向に均等にｎ個に分割されたものである。送信機４の各チャンネルでは、同じタイミングに区間音声がスタートし、同じタイミングにマーカ音が発音されるようにタイミングを合わせて区間音声が再生・送信される。
【００３９】
これにより、ラジオ受信機２において、マーカ音のトリガによって受信チャンネルが次のチャンネルに切り換えられたとき、次のチャンネルの区間音声が先頭から再生される。
【００４０】
図３（Ｂ）は、同図（Ａ）の形式で放送されているガイド音声放送受信時のラジオ受信機２（コントローラ２６）の動作を示すフローチャートである。まず、操作部２７が見学者１のスタートボタン操作を受け付けると、すなわち操作部２７からスタートボタン操作信号が入力されると（Ｓ１０でＹＥＳ）、ラジオ受信機２の電源をオンにし（Ｓ１１）、受信チャンネルＣＨに１を設定して選局回路２２に対してチャンネル１を受信するように指示する（Ｓ１２）。
【００４１】
図３（Ａ）に示すように、見学者１によるスタートボタン操作タイミングが区間音声のスタートタイミングと一致しているとは限らないため、ガイド音声が途中から再生されないように、オーディオアンプ２８をミュートする（Ｓ１３）。こののちマーカ音が検出されるまでの間（Ｓ１４でＮＯ）、ミュート状態のまま待機する。そして、マーカ検出部２５からマーカ検出信号が入力されると（Ｓ１４でＹＥＳ）、図３（Ａ）に示すマーカ音１２ａを受信したとしてミュート状態を解除する（Ｓ１５）。これにより、区間音声１１−１が先頭から受信・再生される。
【００４２】
その後、チャンネル１の受信を継続し（Ｓ１０、Ｓ１６、Ｓ１８でＮＯ）、マーカ検出部２５から再度マーカ検出信号が入力されると（Ｓ１６でＹＥＳ）、受信チャンネルＣＨに１を加算して、選局回路２２に受信チャンネル２を受信するよう指示する（Ｓ１７）。マーカ信号は各チャンネル間で同期しており、マーカ信号に応じてチャンネルが切り換えられた場合、切り換えられた受信チャンネルの区間音声は必ず先頭から始まるため、この場合はオーディオアンプ２８をミュートしない。
【００４３】
以後同様に、マーカ検出部２５からマーカ検出信号が入力されるまで現在のチャンネルの受信を継続し、マーカ検出部２５からマーカ検出信号が入力されると（Ｓ１６でＹＥＳ）、受信チャンネルＣＨに１を加算して、選局回路２２に次の受信チャンネルを受信するよう指示する（Ｓ１７）。
【００４４】
選局回路２２が最後の受信チャンネルｎ（区間ｎ音声１１−ｎ）を受信しているときにマーカ検出部２５からマーカ検出信号（終了マーカ検出信号）が入力されると（Ｓ１８でＹＥＳ）、アナログ回路部の電源をオフして（Ｓ１９）、ガイド放送の受信を終了する。
【００４５】
以上述べた実施形態は、図３（Ａ）に示すように、ガイド音声１１を文章の意味の切れ目に関係なく同じ長さの複数の区間音声に分割し、各区間音声を同期して再生・送信する方式のガイド音声放送システムであった。ガイド音声１１を文章の意味の切れ目に関係なく同じ長さに分割する方式に代えて、図４に示すように、ガイド音声を文章の意味の切れ目で分割し、各部分が同じ長さになるように各区間音声の末尾に無音部分を付加した構成にしてもよい。
【００４６】
図４において、ガイド音声１１は、「この仏像は○○年に」、「○○が○年かけて造りあげ」、「△△寺に奉納されました」、「現在ではこの地方を代表する」、「仏像として知られています」、というように文章の意味の切れ目（分節の切れ目）で分割されている。このうち「現在ではこの地方を代表する」の区間音声が一番長い。そこで、他の区間音声に無音区間を付加して最長の区間音声と同じ長さに揃えられている。このような区間音声を図４に示すように（図３（Ａ）と同じように）タイミングを同期させて複数のチャンネルで送信することにより、ラジオ受信機２では図３（Ｂ）と同様の処理でガイド音声を受信することができる。
【００４７】
図４の実施形態では、文章の意味の切れ目（文節）で分割しているため、１文節ごとに空白が入り、言葉の意味が理解しやすくなる。また、空白が付加されていることにより、ガイド音声の進む速度が図３  （Ａ）の実施形態より遅くなるため、子供やお年寄りでもガイド音声を聞き取りやすくなる。
【００４８】
さらに、図５の実施形態では、ガイド音声を図４と同じように文章の意味の切れ目で分割し、図４のように末尾に無音部分を付加して長さを均等にするのではなく、各部分が不均等な長さのままで区間音声を構成している。具体的には、「この仏像は○○年に」、「○○が○年かけて造りあげ」、「△△寺に奉納されました」、「現在ではこの地方を代表する」、「仏像として知られています」という長さの違う区間音声を作成し、長さが異なるため同期させることが困難であるため、非同期のまま各チャンネルで繰り返し放送する。
【００４９】
図３（Ａ）や図４の実施形態では、各区間音声の長さが均等であり、再生タイミングが同期しているため、マーカ音をトリガして受信チャンネルを切り換えたとき、次の受信チャンネルで区間音声の先頭から受信を開始することができた。しかし、この実施形態では、各区間音声の長さが不均等であり、各区間音声の開始タイミング、終了タイミングが同期していない。
【００５０】
そこで、この実施形態では、ラジオ受信機２は、受信チャンネルを切り換えた後、受信した音声をすぐに出力せず、切り換え後の受信チャンネルでマーカ音を受信するまでオーディオアンプ２８をミュートし、マーカ音を受信したのち受信音声を出力する構成にしている。これにより、チャンネル切り換え後に区間音声が途中から再生されるのを防ぎ、連続した意味の通じるガイド放送の受信を実現する。
【００５１】
この方式では、チャンネル切り換え後にほぼ必ずミュートとなって無音時間が発生するが、文節後であるため意味を理解する妨げにはならず、また、図４の実施形態のように１区間音声ごとに末尾に空白部分を付加する処理をする必要がないため、簡易な処理で言葉の意味を理解しやすいガイド放送を行うことができる。
【００５２】
図６は、図５の形式で放送されているガイド音声放送受信時のラジオ受信機２（コントローラ２６）の動作を示すフローチャートである。まず、操作部２７が、見学者１のスタートボタン操作を受け付けると、すなわち操作部２７からスタートボタン操作信号が入力されると（Ｓ３０でＹＥＳ）、ラジオ受信機２の電源をオンにし（Ｓ３１）、受信チャンネルＣＨに１を設定して選局回路２２に対してチャンネル１を受信するように指示する（Ｓ３２）。見学者１によるスタートボタン操作タイミングが区間音声のスタートタイミングと一致しているとは限らないため、ガイド音声が途中から再生されないように、オーディオアンプ２８をミュートし（Ｓ３３）、ミュートフラグをセットする（Ｓ３４）。
【００５３】
次にＳ３０、Ｓ３５でマーカ検出部２５からマーカ検出信号が入力されるまで待機し、マーカ検出部２５からマーカ検出信号が入力されると（Ｓ３５でＹＥＳ）、ミュートフラグがセットされているか否かを判定する（Ｓ３６）。ミュートフラグがセットされている場合（Ｓ３６でＹＥＳ）には、このチャンネルの区間音声がまだ再生されていないため、ミュートを解除し（Ｓ３７）、ミュートフラグをリセットして（Ｓ３８）。そのチャンネルの区間音声を先頭から再生・出力する。
【００５４】
チャンネルの区間音声の再生中もミュート中と同様にＳ３０、Ｓ３５で待機する。その後、マーカ検出部２５からマーカ検出信号が再度入力されると（Ｓ３５でＹＥＳ）、ミュートフラグがセットされているか否かを判定する（Ｓ３６）。ミュートフラグがリセットされている場合（Ｓ３６でＮＯ）には、このチャンネルの区間音声の再生が終了したことを意味するため、以下の処理を実行する。まず、Ｓ３９で受信したマーカ音が終了マーカ音であるか、すなわちマーカ検出部２５から入力された信号が終了マーカ検出信号であるかを判断する。終了マーカ音であった場合（Ｓ３９でＹＥＳ）には、最後の区間音声ｎの再生を完了したことを意味するため、アナログ回路部の電源をオフして（Ｓ４３）動作を終了する。
【００５５】
入力されたマーカ検出信号が終了マーカ検出信号でなかった場合（Ｓ３９でＮＯ）には、次の受信チャンネルの区間音声が途中から受信・再生されないようにオーディオアンプ２８をミュートし（Ｓ４０）、受信チャンネルＣＨに１を加えてこのチャンネル番号を選局回路２２に指示し（Ｓ４１）、ミュートフラグをセットする（Ｓ４２）。そして、次のマーカ音１２の受信までＳ３０、Ｓ３５で待機する。
以上の動作により、受信チャンネルが切り換えられるごとに、そのチャンネルの区間音声が先頭に戻るまでオーディオアンプ２８がミュートされるため、複数チャンネルで放送される区間音声信号の再生タイミングが同期していなくても各区間音声を先頭から再生出力することができる。
【００５６】
次に、途中で２系統に分岐するガイド音声を放送するガイド音声放送システムについて説明する。
図７は、チャンネル１〜チャンネルｎの各チャンネルで放送される区間音声を示す図である。この実施形態では、図３（Ａ）に示す実施形態と同様に、ガイド音声は時間方向に均等にｎ個に分割されており、後端にマーカ音１２が付加されている。
【００５７】
区間音声のうち、区間１から区間２までは１系統であるが、区間３で２系統に分岐し、以後、最後の区間ｎまで２系統に分岐した状態で別々に進行する。
この２系統の放送は、例えば、第１系統で大人用の解説を放送し、第２系統で子供用の解説を放送するように設定される。なお、ガイド音声の系統数は２系統に限定されない。
【００５８】
系統の切り換えは、マーカ音とラジオ受信機２のボタン操作で行われる。具体的には、見学者１は、予め操作部２７の分岐選択ボタンを操作して第１系統（大人）または第２系統（子供）を選択している。ガイド音声の受信をスタートし、区間２音声の後端に付加されている分岐マーカ音１２ｃがラジオ受信機２に受信されると、予め選択されている系統に応じて受信チャンネルの系統が選択される。第１系統（大人）が選択されている場合、以後は区間３−１、区間４−１、区間ｎ−１へとチャンネル（区間音声）が切り換えられる。また、第２系統（子供）が選択されている場合、以後は区間３−２、区間４−２、区間ｎ−２へとチャンネル（区間音声）が切り換えられる。
【００５９】
図８は、図７の形式で放送されているガイド音声放送受信時のラジオ受信機２（コントローラ２６）の動作を示すフローチャートである。まず、操作部２７が見学者１のスタートボタン操作を受け付けると、すなわち操作部２７からスタートボタン操作信号が入力されると（Ｓ５０でＹＥＳ）、ラジオ受信機２の電源をオンにし（Ｓ５１）、受信チャンネルＣＨに１を設定して選局回路２２に対してチャンネル１を受信するように指示し（Ｓ５２）、分岐フラグをリセットする（Ｓ５３）。
【００６０】
見学者１によるスタートボタン操作タイミングが区間音声のスタートタイミングと一致しているとは限らないため、ガイド音声が途中から再生されないように、オーディオアンプ２８をミュートする（Ｓ５４）。こののちマーカ音が検出されるまでの間（Ｓ５５でＮＯ）、ミュート状態のまま待機する。そして、マーカ検出部２５からマーカ検出信号が入力されると（Ｓ５５でＹＥＳ）、ミュート状態を解除する（Ｓ５６）。これにより、区間音声１１−１が先頭から受信・再生される。
【００６１】
区間音声の受信・再生中はＳ５０、Ｓ５７、Ｓ６１、Ｓ６６で待機する。受信回路２１が区間音声の末尾のマーカ音を受信し、マーカ検出部２５からマーカ検出信号が入力されると、そのマーカ検出信号が通常マーカ検出信号であった場合には（Ｓ５７でＹＥＳ）、Ｓ５８〜Ｓ６０の処理を実行する。そのマーカ検出信号が分岐マーカ検出信号であった場合には（Ｓ６１でＹＥＳ）、Ｓ６２〜Ｓ６５の処理を実行する。また、そのマーカ検出信号が終了マーカ検出信号であった場合には（Ｓ６６でＹＥＳ）、Ｓ６７でアナログ回路部の電源をオフして動作を終了する。
【００６２】
マーカ検出部２５から通常マーカ検出信号が入力されて動作がＳ５８に進むと、まず分離フラグがセットされているか否かを判定する（Ｓ５８）。分岐フラグがセットされている場合には既にガイド音声が２系統に分岐していることを示し、分岐フラグがリセットされている場合にはガイド音声が未だ分岐しておらず１系統のままであることを示している。したがって、分岐フラグがリセットされている場合には（Ｓ５８でＮＯ）、受信チャンネルＣＨに１を加えたチャンネル番号を受信回路２２に指示して受信チャンネルを次のチャンネルに切り換えさせる（Ｓ５９）。一方、分岐フラグがセットされている場合には（Ｓ５８でＹＥＳ）、受信チャンネルＣＨに２を加えたチャンネル番号を受信回路２２に指示して受信チャンネルを２つ先のチャンネルに切り換えさせる（Ｓ６０）。
【００６３】
マーカ検出部２５から分岐マーカ検出信号が入力されて動作がＳ６２に進むと、まず分岐フラグをセットし（Ｓ６２）、見学者１による系統の選択状態を判定する（Ｓ６３）。第１系統が選択されている場合（Ｓ６３で１）、受信チャンネルＣＨに１を加えたチャンネル番号を受信回路２２に指示して受信チャンネルを１つ先のチャンネルに切り換えさせる（Ｓ６４）。一方、第２系統が選択されている場合（Ｓ６３で２）、受信チャンネルＣＨに２を加えたチャンネル番号を受信回路２２に指示して受信チャンネルを２つ先のチャンネルに切り換えさせる（Ｓ６５）。
以上の処理により、途中で２系統に分岐するガイド音声を見学者１の選択に基づいて受信・再生することができる。
【００６４】
なお、図２（Ｂ）で説明したように、ラジオ受信機２の操作部２７には、スタートボタン、終了ボタン、早送りボタン、巻き戻しボタンおよび系統選択ボタン等の操作子が設けられている。スタートボタンがオンされると、図３（Ｂ）、図６、図８のフローチャートに示すように、コントローラ２６はガイド音声放送の受信を開始する。また、ガイド音声放送の受信途中に再度スタートボタンがオンされると、図３（Ｂ）、図６、図８のフローチャートに示すように再度チャンネル１を受信して、ガイド音声１１の先頭からの受信をやり直す。すなわち、スタートボタンはリセットボタンの機能を兼ねている。また、ガイド音声放送の受信途中に早送りボタン、巻き戻しボタン、終了ボタンがオンされると、他の処理に優先して、以下のような処理を実行する。
【００６５】
図９は、ガイド音声放送の受信途中に早送りボタン、巻き戻しボタンまたは終了ボタンがオンされた場合のコントローラ２６の動作を示すフローチャートである。この処理は、図３（Ｂ）、図６、図８の処理と並行して実行される。
早送りボタン、巻き戻しボタンまたは終了ボタンがオンされるまでＳ７０、Ｓ７３、Ｓ７６で待機している。
【００６６】
早送りボタンがオンされると（Ｓ７０でＹＥＳ）、現在の受信チャンネルＣＨが受信可能な最終チャンネルであるチャンネルｎであるか否かを判断する（Ｓ７１）。受信可能な最終チャンネルであれば（Ｓ７１でＹＥＳ）、これ以上受信チャンネルを進められないためこの操作を無視する。受信可能な最終チャンネルでなければ（Ｓ７１でＮＯ）、受信チャンネルＣＨに１を加え、このチャンネル番号ＣＨのチャンネルを選択するように選局回路２２に指示する（Ｓ７２）。これにより、受信チャンネルが１チャンネル進み、ガイド音声１１全体における受信位置が５〜１０秒程度進むため、擬似的な早送りとなる。
【００６７】
また、巻き戻しボタンがオンされると（Ｓ７３でＹＥＳ）、現在の受信チャンネルＣＨが先頭チャンネルであるチャンネル１であるか否かを判断する（Ｓ７４）。先頭チャンネルであれば（Ｓ７４でＹＥＳ）、これ以上受信チャンネルを進められないためこの操作を無視する。先頭チャンネルでなければ（Ｓ７４でＮＯ）、受信チャンネルＣＨから１を減算し、このチャンネル番号ＣＨのチャンネルを選択するように選局回路２２に指示する（Ｓ７５）。これにより、受信チャンネルが１チャンネル戻り、ガイド音声１１全体における受信位置が５〜１０秒程度戻るため巻き戻しとなる。
【００６８】
また、終了ボタンがオンされると（Ｓ７６でＹＥＳ）、ガイド音声の受信・再生の途中であっても、アナログ回路部の電源をオフして（Ｓ７７）動作を終了する。
【００６９】
なお、この実施形態では、コンテンツとしてガイド音声を例にあげて説明したが、コンテンツはこれに限定されない。また、コンテンツは音声信号に限定されず、映像を伴うものであってもよい。
【００７０】
また、この実施形態のラジオ受信機はマーカ信号を検出して自動的にチャンネルを切り換えるものであるが、チャンネル切り換えをラジオ受信機の利用者が手動で行うようにしてもよい。この場合には区間音声にマーカ音を付加する必要はない。
【図面の簡単な説明】
【００７１】
【図１】この発明の実施形態であるガイド音声放送システムを展示会場に適用した例を示す図
【図２】この発明の実施形態である送信機およびラジオ受信機のブロック図
【図３】複数のチャンネルに分割されたガイド音声の送信パターンを示す図およびラジオ受信機の動作を示すフローチャート
【図４】複数のチャンネルに分割されたガイド音声の送信パターンを示す図
【図５】複数のチャンネルに分割されたガイド音声の放送パターンを示す図
【図６】前記ラジオ受信機の動作を示すフローチャート
【図７】複数のチャンネルに分割されたガイド音声の放送パターンを示す図
【図８】前記ラジオ受信機の動作を示すフローチャート
【図９】同ラジオ受信機の動作を示すフローチャート
【符号の説明】
【００７２】
１  見学者（ラジオ受信機の利用者）
２  ラジオ受信機
３  展示物
４  ラジオ送信機
５  放送エリア
１０  ガイドコンテンツメモリ
１１  区間音声
１２  マーカ音
２２  選局回路
２５  マーカ検出部
２６  コントローラ
２７  操作部
【図１】
2009278221.tif 000003
【図２】
2009278221.tif 000004
【図３】
2009278221.tif 000005
【図４】
2009278221.tif 000006
【図５】
2009278221.tif 000007
【図６】
2009278221.tif 000008
【図７】
2009278221.tif 000009
【図８】
2009278221.tif 000010
【図９】
2009278221.tif 000011